(57)【要約】【課題】簡素な構造でコストを低減でき、かつ、取付けが非常に容易に行える鳥類営巣防止具を提供する。【解決手段】電柱の上方の突設部材Ｓに取着される取付部材２と、取付部材２に端部６を差し込んで支持される可撓線材３とを、備えている。【選択図】図１
2016146711.tif 000002
【特許請求の範囲】
【請求項１】
電柱の上方の突設部材（Ｓ）に取着される取付部材（２）と、該取付部材（２）に端部（６）を差し込んで支持される可撓線材（３）とを、備えたことを特徴とする鳥類営巣防止具。
【請求項２】
上記取付部材（２）は、電気絶縁性を有する合成樹脂にて形成され、上記突設部材（Ｓ）が差込まれる差込用凹溝（１０）を形成する第１挟持片部（１１）と第２挟持片部（１２）と底壁部（１３）とを有し、上記可撓線材（３）の端部（６）が差込可能な挿入小孔（４）を有する支持片部（５）を突設し、さらに、作業工具（３０）の先端部（３１）にて把持するための把持片部（７）を備えている請求項１記載の鳥類営巣防止具。
【請求項３】
上記差込用凹溝（１０）は、その開口端側に、突設部材誘導部（１５）を備えている請求項２記載の鳥類営巣防止具。
【請求項４】
上記支持片部（５）の下方位置に、上記可撓線材（３）の先端面に当接して上記挿入小孔（４）への差込み深さを規制するストッパ突片（８）を設けている請求項２又は３記載の鳥類営巣防止具。
【請求項５】
上記挿入小孔（４）には、差込まれた上記可撓線材（３）の端部（６）に弾発的に当接して抜止めする抜止め爪（１４）を有する金属製抜止め部材（９）が嵌着されている請求項２，３又は４記載の鳥類営巣防止具。
【請求項６】
上記抜止め部材（９）は、上記抜止め爪（１４）を上下に少なくとも２段有している請求項５記載の鳥類営巣防止具。
【発明の詳細な説明】
【技術分野】
【０００１】
本発明は、鳥類営巣防止具に関する。
【背景技術】
【０００２】
図１２に示すように、従来、カラスやカササギなどの鳥Ｂが電柱Ｄの腕金Ａに巣Ｎを作ることで、配電事故を発生させていた。鳥Ｂの巣Ｎが発見された時点で電力会社によって撤去されるが、数多くの巣を撤去するには、多大な時間と労力を必要とし、かつ、高所での作業となるため、作業員の危険を伴う。そこで、鳥が電柱の上に巣を作るのを防止する営巣防止装置が提案されている（特許文献１参照）。
【先行技術文献】
【特許文献】
【０００３】
【特許文献１】特開２０１３−４８５８７号公報
【発明の概要】
【発明が解決しようとする課題】
【０００４】
しかし、特許文献１記載の営巣防止装置は、１セット当りの部品点数が多く、コストが高かった。また、大掛かりな営巣防止装置を、多数の電柱の１本ずつに取り付けるとなると、非常に手間が掛かるという欠点があった。
【０００５】
そこで、本発明は、簡素な構造でコストを低減でき、かつ、取付けが容易に行える鳥類営巣防止具を提供することを目的とする。
【課題を解決するための手段】
【０００６】
本発明に係る鳥類営巣防止具は、電柱の上方の突設部材に取着される取付部材と、該取付部材に端部を差し込んで支持される可撓線材とを、備えたものである。
【０００７】
また、上記取付部材は、電気絶縁性を有する合成樹脂にて形成され、上記突設部材が差込まれる差込用凹溝を形成する第１挟持片部と第２挟持片部と底壁部とを有し、上記可撓線材の端部が差込可能な挿入小孔を有する支持片部を突設し、さらに、作業工具の先端部にて把持するための把持片部を備えているものである。
また、上記差込用凹溝は、その開口端側に、突設部材誘導部を備えているものである。
【０００８】
また、上記支持片部の下方位置に、上記可撓線材の先端面に当接して上記挿入小孔への差込み深さを規制するストッパ突片を設けているものである。
また、上記挿入小孔には、差込まれた上記可撓線材の端部に弾発的に当接して抜止めする抜止め爪を有する金属製抜止め部材が嵌着されているものである。
また、上記抜止め部材は、上記抜止め爪を上下に少なくとも２段有しているものである。
【発明の効果】
【０００９】
本発明の鳥類営巣防止具によれば、電柱の上方の突設部材（ストラップ）に対して取付部材を容易に取着でき、取付けの作業時間を短縮できる。部品点数が少なく、構造が簡単で、コストを低減できる。
【図面の簡単な説明】
【００１０】
【図１】本発明の実施の一形態を示した平面図である。
【図２】本発明の鳥類営巣防止具を示した断面側面図である。
【図３】拡大斜視図である。
【図４】拡大斜視図である。
【図５】取付部材を示す拡大斜視図である。
【図６】取付部材を示す拡大斜視図である。
【図７】他の取付部材を示す拡大斜視図である。
【図８】作業工具で把持する状態を示す拡大斜視図である。
【図９】抜止め部材を示す平面図である。
【図１０】図９のＣ−Ｃ断面図である。
【図１１】他の抜止め部材を示す平面図である。
【図１２】電柱に鳥が巣を作る様子を示す参考斜視図である。
【発明を実施するための形態】
【００１１】
以下、実施の形態を示す図面に基づき本発明を詳説する。
図１と図２に示すように、本発明の鳥類営巣防止具は、電柱の上方の突設部材Ｓに取着される取付部材２と、取付部材２に端部６を差し込んで支持される可撓線材３とを、備えている。
突設部材Ｓは、電柱の腕金Ａに碍子Ｇを引き留めるために使用される上下一対の帯板状金属部材から成るストラップである。突設部材（ストラップ）Ｓは、腕金Ａにボルトによって固着されている。上下一対の帯板状金属部材は、中間位置の２箇所で鈍角に折曲げられており、基端部近傍の水平状部、あるいは、図２に示すように傾斜状部に取付部材２が側方から差込まれて取着されている。なお、突設部材Ｓは、取付部材２を差込可能な帯板状部材であれば良い。
可撓線材３は、ポリエチレン等の樹脂製で、端部６，６の少なくとも一方が取付部材２の挿入小孔４に差し込まれて支持されて、腕金Ａの上方を斜めに横切るようにアーチ状に設置されている。可撓線材３は、図１の右側に示したように、両端部６，６が取付部材２，２に差し込まれていても良く、あるいは、図１の左側に示したように、一方の端部６のみが取付部材２に差し込まれて他方の端部は自由端として揺動自在に支持されていても良い。
【００１２】
図３〜図６に示すように、取付部材２は、電気絶縁性を有する合成樹脂にて形成され、突設部材（ストラップ）Ｓが差込まれる差込用凹溝１０を形成する第１挟持片部１１と第２挟持片部１２と底壁部１３とを有し、さらに、図８のように作業工具３０の先端部３１にて把持するための把持片部７を備えている。
第１挟持片部１１は、その先端縁が第２挟持片部１２から離れる方向に斜めに折り曲げられて把持片部７となっている。第２挟持片部１２の先端には、第１挟持片部１１から離れる方向の傾斜面部１２ａを有し、かつ、第１挟持片部１１にも、第２挟持片部１２から離れる方向の傾斜面部１１ａが設けられている。即ち、差込用凹溝１０は、開口端側が外方拡大状（拡開状）として形成され、把持片部７の外面７ａと傾斜面部１１ａ，１２ａによって突設部材（ストラップ）Ｓが差込用凹溝１０へ案内されるよう突設部材（ストラップ）誘導部１５が形成されている。差込用凹溝１０は、最奥部に円弧状面１８を有し、第１挟持片部１１と第２挟持片部１２の間隙が最奥部にて拡大するよう形成されている。これにより、差込用凹溝１０に突設部材Ｓが差込まれる際、第１挟持片部１１と第２挟持片部１２が弾性変形しつつ揺動可能として構成される。なお、第２挟持片部１２は、傾斜面部１２ａの奥側に起立状の係止面部１２ｂを有し、突設部材Ｓが差込用凹溝１０に差込まれて底壁部１３に当たった所で、係止面部１２ｂが突設部材Ｓの側端面に当接して、突設部材Ｓの抜止めをするように構成されている。
【００１３】
取付部材２は、可撓線材３の端部６が差込可能な挿入小孔４を有する支持片部５を突設している。また、支持片部５の下方位置に、可撓線材３の先端面に当接して挿入小孔４への差込み深さを規制するストッパ突片８を設けている。
支持片部５は、第１挟持片部１１の基端縁部が底壁部１３を越えて伸びるように形成され、３箇所に挿入小孔４，４，４を有している。なお、図例では、挿入小孔４は、断面円形状に形成されている。支持片部５は、第１挟持片部１１よりも分厚く（肉厚に）形成されており。基端部には複数のリブを有し、その強度と剛性が向上している。ストッパ突片８は、第２挟持片部１２の基端縁部が底壁部１３を越えて伸びるように形成され、支持片部５と平行状に配設されている。
なお、図７に示すように、取付部材２は、底壁部１３を第２挟持片部１２側に延伸して支持片部５を形成し、支持片部５の下方位置にストッパ突片８を突出状に設けても良い。この場合、縦向きのストラップ（突設部材）Ｓに対し、上方から取付部材２を差し込んで取着するのに好適となる（図示省略）。
【００１４】
図９と図１０に示すように、挿入小孔４には、差込まれた可撓線材３の端部６に弾発的に当接して抜止めする抜止め爪１４を有する金属製抜止め部材９が嵌着されている。
抜止め部材９は、挿入小孔４の内側面に沿うように円弧状に弯曲し、上下に少なくとも２段の抜止め爪１４，１４を有している。抜止め爪１４は、プレスによる打ち抜きにて、下方傾斜状に形成されている。挿入小孔４に対し、上方から可撓線材３の端部６を差込む際には、抜止め爪１４，１４が弾性変形して、スムーズに差込むことができ、一方、可撓線材３の端部６を引き抜こうとした際には、可撓線材３の端部６に抜止め爪１４，１４が弾発的に当接して、抜止め爪１４，１４の先端縁が端部６の外周面に食い込むように係止して、抜け止めをする。
なお、図１１に示すように、挿入小孔４は、正方形状であって良く、この正方形状の挿入小孔４に、上下２段の抜止め爪１４，１４を有する平板状抜止め部材９，９を嵌着しても良い。抜止め部材９，９は、抜止め爪１４，１４が可撓線材３の端部６に弾発的に当接して抜止めをする。このような構成とすれば、抜止め部材９の加工が容易となり、コストを低く抑えることができる。
【００１５】
上述した本発明の鳥類営巣防止具の使用方法（作用）について説明する。
図８に示すように、取付部材２の支持片部５に設けられた挿入小孔４に、可撓線材３の端部６を差し込んだ状態とし、作業工具３０の先端部３１にて把持片部７を掴んで、取付部材２を突設部材（ストラップ）Ｓに取着する。突設部材（ストラップ）Ｓを側方から差込用凹溝１０に押込むと、第１挟持片部１１と第２挟持片部１２が拡開方向へ弾発的に揺動しつつ突設部材誘導部１５によって突設部材Ｓが差込用凹溝１０へと案内される。突設部材Ｓを底壁部１３に当たるまで差込むと、第２挟持片部１２の係止面部１２ｂにて突設部材Ｓが係止されて、抜けないように取着される。このように、（帯板状の）突設部材Ｓに対し、取付部材２を簡単な操作のみで取付けることができ、作業は短時間で行うことができる。また、可撓線材３は、端部６が挿入小孔４に差し込まれて抜止めがされている為、取付作業の途中で不意に抜けてしまうこともない。
【００１６】
図１のように、突設部材（ストラップ）Ｓに取着した取付部材２に可撓線材３の端部６を支持させて、腕金Ａの上方を横切るように可撓線材３を設置することで、カラスやカササギなどの鳥は可撓線材３が邪魔になって腕金Ａに止まりにくくなる。また、腕金Ａの上から木の枝などの営巣材を乗せようとしても、可撓線材３によって木の枝が落とされるので、鳥が腕金Ａの上に巣を作るのを防止することができる。
【００１７】
なお、本発明は、設計変更可能であって、取付部材２の大きさ、形状、材質等は変更可能であって、例えば、把持片部７は、第２挟持片部１２に下方突出状に形成されていても良い（図示省略）。
【００１８】
以上のように、本発明に係る鳥類営巣防止具は、電柱の上方の突設部材Ｓに取着される取付部材２と、取付部材２に端部６を差し込んで支持される可撓線材３とを、備えたので、電柱の上方の突設部材（ストラップ）Ｓに対して取付部材２を容易に取着でき、取付けの作業時間を短縮できる。部品点数が少なく、構造が簡単で、コストを低減できる。
【００１９】
また、取付部材２は、電気絶縁性を有する合成樹脂にて形成され、突設部材Ｓが差込まれる差込用凹溝１０を形成する第１挟持片部１１と第２挟持片部１２と底壁部１３とを有し、可撓線材３の端部６が差込可能な挿入小孔４を有する支持片部５を突設し、さらに、作業工具３０の先端部３１にて把持するための把持片部７を備えているので、簡単な操作のみで取付部材２を突設部材Ｓに容易に取着でき、取付けの作業時間を短縮できる。
【００２０】
また、差込用凹溝１０は、その開口端側に、突設部材誘導部１５を備えているので、取付部材２を突設部材Ｓに容易に取着できる。特に、電柱上の高所で、作業工具３０の先端部３１にて把持片部７を把持して取付部材２を操作する場合でも、差込用凹溝１０に突設部材Ｓを確実に差込むことができる。
【００２１】
また、支持片部５の下方位置に、可撓線材３の先端面に当接して挿入小孔４への差込み深さを規制するストッパ突片８を設けているので、可撓線材３が下方へ抜けてしまうことなく、確実に保持され、鳥が腕金Ａの上に巣を作るのを防止することができる。
【００２２】
また、挿入小孔４には、差込まれた可撓線材３の端部６に弾発的に当接して抜止めする抜止め爪１４を有する金属製抜止め部材９が嵌着されているので、可撓線材３を引き抜こうとしても、抜止め爪１４が可撓線材３の端部６に食い込んで、確実に抜止めできる。
【００２３】
また、抜止め部材９は、抜止め爪１４を上下に少なくとも２段有しているので、可撓線材３を確実に抜止めできる。
【符号の説明】
【００２４】
２  取付部材
３  可撓線材
４  挿入小孔
５  支持片部
６  端部
７  把持片部
８  ストッパ突片
９  抜止め部材
１０  差込用凹溝
１１  第１挟持片部
１２  第２挟持片部
１３  底壁部
１４  抜止め爪
１５  突設部材誘導部
３０  作業工具
３１  先端部
Ａ  腕金
Ｓ  突設部材（ストラップ）
【図１】
2016146711.tif 000003
【図２】
2016146711.tif 000004
【図３】
2016146711.tif 000005
【図４】
2016146711.tif 000006
【図５】
2016146711.tif 000007
【図６】
2016146711.tif 000008
【図７】
2016146711.tif 000009
【図８】
2016146711.tif 000010
【図９】
2016146711.tif 000011
【図１０】
2016146711.tif 000012
【図１１】
2016146711.tif 000013
【図１２】
2016146711.tif 000014